(57)【要約】【課題】ヒップアップと、動作に伴う着くずれの防止を両立する。【解決手段】ショーツ１は、クロッチを被覆するクロッチ部３と、臀部を被覆し、臀部と脚部との境界に縁部２１が設けられる臀部被覆部２と、臀部被覆部２よりも肌側に設けられるサポート部４を備える。サポート部４は、臀部被覆部２の縁部２１の臀溝点Ｄから、クロッチ部の脇側に接続する縁側部４１と、縁側部４１に対向し、臀溝点Ｄよりも左右中心線側で臀部被覆部２と遊離可能に形成される内側部４２を有し、サポート部４は、左右中心線上で、臀部被覆部２と遊離可能に形成される。【選択図】      図１
2020066815.tif 000002
【特許請求の範囲】
【請求項１】
クロッチ部を有する下衣であって、
クロッチを被覆するクロッチ部と、
臀部を被覆し、前記臀部と脚部との境界に縁部が設けられる臀部被覆部と、
前記臀部被覆部よりも肌側に設けられるサポート部を備え、
前記サポート部は、
前記臀部被覆部の前記縁部の臀溝点から、前記クロッチ部の脇側に接続する縁側部と、
前記縁側部に対向し、臀溝点よりも左右中心線側で前記臀部被覆部と遊離可能に形成される内側部を有し、
前記サポート部は、左右中心線上で、前記臀部被覆部と遊離可能に形成される
ことを特徴とする下衣。
【請求項２】
前記クロッチ部より肌側に配設され、前記クロッチに当接するクロッチ当接部をさらに有し、
前記臀部被覆部の臀溝点から前記クロッチ部の脇側に設けられ、前記臀部被覆部から前記クロッチ部の縁と、前記サポート部の前記縁側部と、前記クロッチ当接部の縁を接続する内側足ぐり接続部を備え、
前記内側足ぐり接続部は、前記臀部被覆部の脇側の縁部よりも、伸縮性が高くなるように形成される
ように形成される
ことを特徴とする請求項１に記載の下衣。
【請求項３】
前記内側部は、臀溝点よりも脇側において、前記臀部被覆部に接続し、
前記サポート部の脇側において、前記臀部被覆部に接続する接続部が形成される
ことを特徴とする請求項１または２に記載の下衣。
【請求項４】
前記縁側部は、内側接続点から左右中心線側において前記臀部被覆部と遊離可能に形成され、
前記内側接続点は、
臀溝点よりも左右中心線側の前記臀部被覆部の縁部に設けられ、
前記下衣の着用時の背面視において、左右中心線から臀溝点までの水平方向の長さをＬとする場合、左右中心線から水平方向の長さが０．４Ｌ以上となる位置に設けられる
ことを特徴とする請求項１ないし３のいずれか１項に記載の下衣。
【請求項５】
前記サポート部は、左サポート部および右サポート部により形成され、
前記左サポート部および右サポート部は、左右中心線上で互いに遊離可能に形成され、
前記左サポート部は、前記クロッチ部の右脇に接続し、
前記右サポート部は、前記クロッチ部の左脇に接続する
ことを特徴とする請求項１に記載の下衣。
【請求項６】
前記クロッチ部より肌側に配設され、前記クロッチに当接するクロッチ当接部をさらに有し、
前記クロッチ当接部の後端は、前記左サポート部および右サポート部の各内側部の交点と、各縁側部の交点との間に形成される
ことを特徴とする請求項５に記載の下衣。
【請求項７】
前記サポート部は、左サポート部および右サポート部により形成され、
前記左サポート部および右サポート部は、左右中心線上で、互いに接続する
ことを特徴とする請求項１に記載の下衣。
【請求項８】
前記クロッチ部より肌側に配設され、前記クロッチに当接するクロッチ当接部をさらに有し、
前記左サポート部および右サポート部の接続部は、前記クロッチ当接部によって覆われる
ことを特徴とする請求項７に記載の下衣。
【発明の詳細な説明】
【技術分野】
【０００１】
本発明は、クロッチ部を有する下衣に関する。
【背景技術】
【０００２】
補整機能を持つショーツ（下衣）が普及している。着用者は、ショーツの補整機能として、ヒップを高く見せるヒップアップ効果、臀部を小さく見せる小尻効果、臀部のシルエットを美しく見せる効果等を期待する。
【０００３】
例えばヒップアップ機能を実現するために、ショーツ本体の外側に、伸縮力を有するヒップアップ当て布を取り付けるショーツがある（例えば特許文献１参照）。特許文献１では、ヒップ当て布の内辺縁の中間部分を除いた全周縁が、糸によってショーツに縫い止められる。特許文献１では、ショーツとの連動によりヒップアップ当て布が伸びることにより、高いヒップアップ効果を得ることができる。
【先行技術文献】
【特許文献】
【０００４】
【特許文献１】登録実用新案第３１１７７７４号公報
【発明の概要】
【発明が解決しようとする課題】
【０００５】
しかしながら特許文献１に記載のショーツは、ヒップ当て布の内辺縁の中間部分を除いた全周縁が、糸によってショーツに縫い止められることにより、ヒップ当て布が、歩いたり、立ったり座ったりなどの下半身の動作を阻害する場合がある。
【０００６】
一般的に、下半身の動作により、脚上部内側から臀部下方においてにかけて、皮膚が伸長することが知られている。しかしながら特許文献１は、ヒップアップ効果は得られるものの、動作に伴う皮膚の伸縮については触れられていない。ヒップアップ当て布が動作に伴う皮膚の伸長に追従できない場合、着くずれが生じる場合がある。
【０００７】
このように特許文献１に記載のショーツは、ヒップアップと、動作に伴う着くずれの防止を両立することができないと考えられる。
【０００８】
従って本発明の目的は、ヒップアップと、動作に伴う着くずれの防止を両立可能な下衣を提供することである。
【課題を解決するための手段】
【０００９】
上記課題を解決するために、本発明の特徴は、クロッチ部を有する下衣に関する。本発明の特徴に係る下衣は、クロッチを被覆するクロッチ部と、臀部を被覆し、臀部と脚部との境界に縁部が設けられる臀部被覆部と、臀部被覆部よりも肌側に設けられるサポート部を備える。サポート部は、臀部被覆部の縁部の臀溝点から、クロッチ部の脇側に接続する縁側部と、縁側部に対向し、臀溝点よりも左右中心線側で臀部被覆部と遊離可能に形成される内側部を有し、サポート部は、左右中心線上で、臀部被覆部と遊離可能に形成される。
【００１０】
クロッチ部より肌側に配設され、クロッチに当接するクロッチ当接部をさらに有し、臀部被覆部の臀溝点からクロッチ部の脇側に設けられ、臀部被覆部からクロッチ部の縁と、サポート部の縁側部と、クロッチ当接部の縁を接続する内側足ぐり接続部を備える。内側足ぐり接続部は、臀部被覆部の脇側の縁部よりも、伸縮性が高くなるように形成されても良い。
【００１１】
内側部は、臀溝点よりも脇側において、臀部被覆部に接続し、サポート部の脇側において、臀部被覆部に接続する接続部が形成されても良い。
【００１２】
縁側部は、内側接続点から左右中心線側において臀部被覆部と遊離可能に形成される。内側接続点は、臀溝点よりも左右中心線側の臀部被覆部の縁部に設けられ、下衣の着用時の背面視において、左右中心線から臀溝点までの水平方向の長さをＬとする場合、左右中心線から水平方向の長さが０．４Ｌ以上となる位置に設けられても良い。
【００１３】
サポート部は、左サポート部および右サポート部により形成され、左サポート部および右サポート部は、左右中心線上で互いに遊離可能に形成され、左サポート部は、クロッチ部の右脇に接続し、右サポート部は、クロッチ部の左脇に接続しても良い。
【００１４】
クロッチ部より肌側に配設され、クロッチに当接するクロッチ当接部をさらに有し、クロッチ当接部の後端は、左サポート部および右サポート部の各内側部の交点と、各縁側部の交点との間に形成されても良い。
【００１５】
サポート部は、左サポート部および右サポート部により形成され、左サポート部および右サポート部は、左右中心線上で、互いに接続しても良い。
【００１６】
クロッチ部より肌側に配設され、クロッチに当接するクロッチ当接部をさらに有し、左サポート部および右サポート部の接続部は、クロッチ当接部によって覆われても良い。
【発明の効果】
【００１７】
本発明によれば、ヒップアップと、動作に伴う着くずれの防止を両立可能な下衣を提供することができる。
【図面の簡単な説明】
【００１８】
【図１】本発明の実施の形態に係るショーツを、腹部被覆部を上に平置きした図である。
【図２】本発明の実施の形態に係るショーツを着用した状態を、背面から観察した図である。
【図３】本発明の実施の形態に係るショーツを着用した状態を、後ろ斜め下方から観察した図である。
【図４】本発明の実施の形態に係るショーツを、臀部被覆部と腹部被覆部の接続部分を切って開いた状態を模式的に示す図である。
【図５】本発明の実施の形態に係るショーツを、臀部被覆部と腹部被覆部の接続部分を切って開いた状態で、サポート部、クロッチ当接部および内側足ぐり接続部を階層的に示す図である。
【図６】本発明の実施の形態に係るショーツのクロッチ後端近傍を拡大した図である。
【図７】本発明の実施の形態に係るショーツ着用時の臀部の背面を二次元に投影した状態において、接続境界点を説明する図である。
【図８】本発明の実施の形態に係るショーツを製造するための型紙を説明する図である。
【図９】図９（ａ）は、本発明の実施の形態に係るショーツを着用した側面図であって、図９（ｂ）は、一般的なショーツを着用した側面図である。
【図１０】図１０（ａ）は、本発明の実施の形態に係るショーツを着用した背面図であって、図１０（ｂ）は、一般的なショーツを着用した背面図である。
【図１１】図１１（ａ）は、本発明の実施の形態に係るショーツを着用した斜視図であって、図１１（ｂ）は、一般的なショーツを着用した斜視図である。
【図１２】図１２（ａ）は、本発明の実施の形態に係るショーツを着用して脚を動かした後の斜視図であって、図１２（ｂ）は、一般的なショーツを着用して脚を動かした後の斜視図である。
【図１３】変形例に係るショーツを、臀部被覆部と腹部被覆部の接続部分を切って開いた状態を模式的に示す図である。
【図１４】変形例に係るショーツを、臀部被覆部と腹部被覆部の接続部分を切って開いた状態で、サポート部、クロッチ当接部および内側足ぐり接続部を階層的に示す図である。
【図１５】変形例に係るショーツを製造するための型紙を説明する図である。
【図１６】臀溝点を説明する図である。
【発明を実施するための形態】
【００１９】
次に、図面を参照して、本発明の実施の形態を説明する。以下の図面の記載において、同一または類似の部分には同一または類似の符号を付している。ショーツ１は、左右対称に形成される。本発明の実施の形態において、「ａ」または「ｂ」が含まれない符号は、左右対称の部材を指す。「ａ」が含まれる符号は、左側の部材を指し、末尾に「ｂ」が含まれる符号は、右側の部材を指す。
【００２０】
（実施の形態）
図１ないし図３を参照して、本発明の実施の形態に係るショーツ１を説明する。ショーツ１は、ヒップアップ効果を実現するとともに、脚上部の左右中心線側から臀部下方において、歩いたり、立ったり座ったりなどの動作時に生じる皮膚の伸縮に追従して、臀部を包むことが可能である。
【００２１】
ショーツ１は、臀部被覆部２、クロッチ部３および腹部被覆部５を備える。臀部被覆部２、クロッチ部３および腹部被覆部５は、それぞれ、ラッセル、パワーネット、トリコットなどであって、端部がほつれない素材で形成される。
【００２２】
臀部被覆部２は、臀部を被覆し、臀部と脚部との境界に縁部２１が設けられる。臀部被覆部２は、臀部と脚部の境界までの丈を有し、ショーツ１は、いわゆるショートタイプのショーツである。縁部２１は、足ぐり部分に対応するショーツ１の裾である。
【００２３】
クロッチ部３は、クロッチを被覆する。クロッチ部３より肌側に、クロッチに当接するクロッチ当接部３１が配設される。クロッチ当接部３１の前端は、腹部被覆部５の下端およびクロッチ部３の前端に接続する。クロッチ当接部３１の両脇は、クロッチ部３の両脇に接続する。クロッチ当接部３１の後端は、クロッチ部３および臀部被覆部２などと遊離可能に形成される。クロッチ当接部３１は、綿などの肌当たりの良い素材で形成される。
【００２４】
腹部被覆部５は、腹部を被覆する。腹部被覆部５に、腹部の肉を抑えるサポート部（図示せず）が設けられても良い。
【００２５】
臀部被覆部２、クロッチ部３および腹部被覆部５は、互いに接続して、ショーツ１の外観を形成する。本発明の実施の形態において臀部被覆部２および腹部被覆部５は、図１に示すように腹側の左右脇において接続するが、これに限らない。本発明の実施の形態において、臀部被覆部２およびクロッチ部３が、一体に形成される場合を説明するが、別々の生地により形成されても良い。
【００２６】
（サポート部）
図１ないし図３に示すように、ショーツ１の臀部下端に、サポート部４が設けられる。サポート部４は、臀部被覆部２と同じ生地で形成される。
【００２７】
サポート部４は、臀部被覆部２よりも肌側に設けられる。サポート部４は、ヒップを持ち上げるための帯状部材であって、サポート部４によりヒップアップ効果が得られる。サポート部４は、臀部被覆部２の左端から右端にかけて、臀部被覆部２の縁部２１側に設けられる。サポート部４は、臀部被覆部２、クロッチ部３および腹部被覆部５と同様の端部がほつれない素材により形成される。サポート部４は、サポート部４の下辺の縁側部４１、サポート部４の上辺の内側部４２を有する。
【００２８】
縁側部４１は、サポート部４の左右の裾側に設けられ、少なくとも、臀部被覆部２の縁部２１の臀溝点Ｄから、クロッチ部３の脇側に接続するように形成される。本発明の実施の形態において、縁側部４１は、臀部被覆部２の左右端から臀部被覆部２の縁部２１の臀溝点Ｄにかけても、接続する。縁側部４１は、臀部被覆部２の縁部２１とともに、ショーツ１の裾を形成する。なお臀溝点Ｄは、図１６に示すように、臀部の下縁において水平方向に設けられる皮膚の溝である臀溝の最下点である。
【００２９】
内側部４２は、縁側部４１に対向する辺であって、サポート部４の上側（着用者の頭側）に設けられる。内側部４２は、臀溝点Ｄを通る仮想垂直線よりも脇側において、臀部被覆部２に接続し、臀溝点Ｄよりも左右中心線側で臀部被覆部２と遊離可能に形成される。本発明の実施の形態において内側部４２は、臀部被覆部２の左右端近傍において、臀部被覆部２に接続する。内側部４２は、臀溝点Ｄを通る垂直線よりも左右中心側で、臀部被覆部２と遊離する。
【００３０】
本発明の実施の形態において、サポート部４は、脇側において臀部被覆部２に接続し、左右中心線上で、臀部被覆部２と遊離可能に形成される。サポート部４は、臀部被覆部２の肌側において臀部被覆部２に対して浮くことが可能である。
【００３１】
これによりサポート部４は、臀部被覆部２の伸縮の影響を受けずに、臀部に当接して、臀部をサポートすることが可能になる。従って、歩いたり、立ったり座ったりなどの動作に伴って、クロッチ後端近傍の皮膚が伸縮しても、サポート部４は、皮膚に当接しながら皮膚の伸縮に追従して、臀部をサポートすることが可能になる。
【００３２】
またサポート部４が臀部被覆部２に対して遊離可能に形成されるので、サポート部４と臀部被覆部２は、独立して伸縮することが可能である。例えば、臀部被覆部２は、ショーツ１の外側に着用するボトムに追従して伸縮するとともに、サポート部４は、皮膚の伸縮に追従して伸縮することができる。またショーツ１の裾は、サポート部４により皮膚に安定して配設されるので、ショーツ１の着用位置を安定させることができる。
【００３３】
サポート部４は、接続部４３を有する。接続部４３は、サポート部４の脇側において、臀部被覆部２に接続する。接続部４３の下端は、臀部被覆部２の縁部２１上の左右端から、臀溝点Ｄの近傍ないし脇側に設けられる。接続部４３の上端は、臀部被覆部２の左右端近傍において、サポート部４の内側部４２に沿って設けられ、臀溝点Ｄの近傍ないし脇側において、臀部被覆部２の縁部２１に接続して、弧形状に設けられる。サポート部４の脇側、接続部４３の上端および下端に囲われる領域において、サポート部４および臀部被覆部２は接続する。接続部４３は、接着剤によって臀部被覆部２に接続されても良いし、熱加工等の加工によって接続されても良い。また接続部４３の周囲を縫着により、臀部被覆部２に接続されても良いし、さらに接続部４３の内側も縫着により接続されても良い。
【００３４】
サポート部４の接続部４３は、臀部の脇側下方を強いパワーでサポートすることができる。これにより臀部脇側の肉を左右中心線方向に寄せ、サポート部４により寄せた肉を持ち上げるので、小尻に見せることができる。臀部の脇側下部は、臀部の中でも肉のボリュームが少ない箇所であるので、接続部４３が強いパワーで臀部を緊締したとしても、接続部４３の緊締力によって肌に段差が形成されにくく、美しいシルエットを保つことが可能である。
【００３５】
図４ないし図６を参照して、本発明の実施の形態に係るショーツ１のサポート部４を詳述する。
【００３６】
サポート部４は、左サポート部４ａおよび右サポート部４ｂにより形成される。左サポート部４ａおよび右サポート部４ｂは、左右中心線を越えて、クロッチ部３の対向する脇側に接続する。左サポート部４ａおよび右サポート部４ｂは、左右中心線上で互いに遊離可能に形成される。
【００３７】
具体的には、図５および図６に示すように左サポート部４ａは、臀部被覆部２の左側の裾からクロッチ部３の右脇に形成される。図６に示すように、左サポート部４ａの縁側部４１ａは、脇側から左内側接続点Ｐａまでが、臀部被覆部２に接続する。縁側部４１ａおよび内側部４２ａと交わる辺であって、左右中心線側に設けられるクロッチ接続部４４ａは、クロッチ部３の右脇に接続する。縁側部４１ａは、左内側接続点Ｐａから左右中心線側において臀部被覆部２またはクロッチ部３と遊離可能に形成されるので、左サポート部４ａは、クロッチ当接部３１が設けられた位置において、臀部被覆部２と遊離可能に形成される。
【００３８】
左サポート部４ａと同様に、図５および図６に示すように右サポート部４ｂは、臀部被覆部２の右側の裾からクロッチ部３の左脇に形成される。図６に示すように、右サポート部４ｂの縁側部４１ｂは、脇側から右内側接続点Ｐｂまでが、臀部被覆部２に接続する。縁側部４１ｂおよび内側部４２ｂと交わる辺であって、左右中心線側に設けられるクロッチ接続部４４ｂは、クロッチ部３の左脇に接続する。縁側部４１ｂは、右内側接続点Ｐｂから左右中心線側において臀部被覆部２またはクロッチ部３と遊離可能に形成されるので、右サポート部４ｂは、クロッチ当接部３１が設けられた位置において、臀部被覆部２と遊離可能に形成される。
【００３９】
左内側接続点Ｐａは、図７に示す左側の接続境界点Ｍよりも脇側かつ、臀溝点Ｄよりも左右中心線側の縁部２１上に配設される。左サポート部４ａは、縁部２１上の左側の接続境界点Ｍから臀溝点Ｄの間のいずれかの間の点よりも左右中心線側において、臀部被覆部２と遊離する。同様に右内側接続点Ｐｂは、右側の接続境界点Ｍよりも脇側かつ、臀溝点Ｄよりも左右中心線側の縁部２１上に配設される。右サポート部４ｂは、縁部２１上の右側の接続境界点Ｍから臀溝点Ｄの間のいずれかの点よりも左右中心洗側において、臀部被覆部２と遊離する。
【００４０】
左右の接続境界点Ｍを結ぶ仮想線の近傍は、後述するようにショーツ１を着用した着用者の動作によって皮膚が伸びやすい位置の脇側の境界点である。左側の接続境界点Ｍよりも左右中心線側の皮膚は、左脚の動きに伴って大きく伸び縮みし、右側の接続境界点Ｍよりも左右中心線側の皮膚は、右脚の動きに伴って大きく伸び縮みする。左サポート部４ａおよび右サポート部４ｂは、動作によって皮膚が伸びやすい位置を避けて、臀部被覆部２またはクロッチ部３に接続することにより、着用者の動作によって、臀部被覆部２が皮膚に追従するのを阻害せず、着くずれを防止することができる。
【００４１】
このように、本発明の実施の形態において左サポート部４ａおよび右サポート部４ｂは、左右中心線近傍では臀部被覆部２と遊離可能に、左右中心線を越えて、クロッチ部３の対向する脇側に接続する。これにより左サポート部４ａおよび右サポート部４ｂはそれぞれ、左右の脚の動きに独立して伸縮することができるので、左右の脚が交互に前に出る歩行動作において好適である。
【００４２】
例えば、歩行において左脚が前に出る際、左サポート部４ａが左脚の動きに追従して伸長する一方、右サポート部４ｂは、左サポート部４ａの影響を受けずに、臀部下端の右側部分をサポートすることができる。同様に、右脚が前に出る際、右サポート部４ｂが右脚の動きに追従して伸長する一方、左サポート部４ａは、右サポート部４ｂの影響を受けずに、臀部下端の左側部分をサポートすることができる。
【００４３】
特に左サポート部４ａおよび右サポート部４ｂは、左脚および右脚それぞれの動作によって皮膚が伸びやすい位置を避けて、臀部被覆部２に接続するとともに、左右中心線近傍において左サポート部４ａおよび右サポート部４ｂは互いに接続しない。これにより、左サポート部４ａおよび右サポート部４ｂは、独立して伸縮することができる。左脚の動作は、右サポート部４ｂの伸縮に干渉しにくく、同様に右脚の動作は左サポート部４ａの伸縮に干渉しにくい。また立ち座りの動作において、左サポート部４ａおよび右サポート部４ｂは、左右同時に生じる皮膚の伸縮にも追従して、伸縮することもできる。
【００４４】
このように、左サポート部４ａおよび右サポート部４ｂは、様々な下半身の動作に追従することができるので、動作に伴う着くずれを防止することができる。
【００４５】
図４に示すように、クロッチ当接部３１の後端は、左サポート部４ａおよび右サポート部４ｂの各内側部４２ａおよび４２ｂの交点と、各縁側部４１ａおよび４１ｂの交点との間に形成される。左サポート部４ａまたは右サポート部４ｂの内側部４２ａおよび４２ｂが、クロッチ後端近郊で肌に当接しないように構成されることにより、クロッチ後端近郊における肌当たりの違和感を軽減することができる。また左サポート部４ａおよび右サポート部４ｂの長手方向の長さを調節することにより、ヒップの左右幅のサイズに適用しやすく、短手方向の長さを調節することにより、ヒップのボリュームに適用しやすい。
【００４６】
図５に示すように、臀部被覆部２およびクロッチ部３を形成する生地より肌側に、左サポート部４ａおよび右サポート部４ｂが配設され、さらにその肌側にクロッチ当接部３１が配設される。また本発明の実施の形態において、左サポート部４ａよりも右サポート部４ｂが、肌側に配設される場合を説明するが、右サポート部４ｂよりも左サポート部４ａが、肌側に配設されても良い。
【００４７】
図４ないし図６に示すように、少なくとも臀部被覆部２の臀溝点Ｄからクロッチ部３の脇側において、内側足ぐり接続部６が設けられる。
【００４８】
本発明の実施の形態において内側足ぐり接続部６は、図６に示すように、臀溝点Ｄ（臀溝点ＤａおよびＤｂ）よりも脇側からクロッチ部３の前端の脇側において設けられる。内側足ぐり接続部６は、臀部被覆部２からクロッチ部３の縁と、サポート部４の縁側部４１と、クロッチ当接部３１の縁を接続する。臀部被覆部２からクロッチ部３の縁と、サポート部４の縁側部４１と、クロッチ当接部３１の縁は、内側足ぐり接続部６によって一体化される。内側足ぐり接続部６によって、ショーツ１の足ぐりの内側部分の緊締力が増し、肌上でずれにくくなる。内側足ぐり接続部６よりも左右中心線側において、サポート部４が左右両脚の動きによって伸縮するところ、サポート部４の伸縮は、足ぐりの左右中心線側まで伝播せず、着くずれを防止することができる。また足ぐりの左右中心線側において、臀部被覆部２からクロッチ部３の縁と、サポート部４の縁側部４１と、クロッチ当接部３１の縁がずれずに配設されることにより、サポート部４は、縁の移動に阻害されることなく伸縮することが可能になる。
【００４９】
また本発明の実施の形態において内側足ぐり接続部６は、ゴム、伸縮テープなどの伸縮性を有する部材で形成される。内側足ぐり接続部６は、臀部被覆部２の脇側の縁部２１よりも、伸縮性が高くなるように形成される。足ぐりのうち、内側足ぐり接続部６が設けられる部分は、内側足ぐり接続部６が設けられない部分と比べて、伸縮しやすいように形成される。これにより、動作によって皮膚が伸縮しやすい足ぐりの内側において、動作に追従して伸縮することが可能になり、着くずれを防止することができる。
【００５０】
内側足ぐり接続部６は、臀部被覆部２からクロッチ部３の縁と、サポート部４の縁側部４１と、クロッチ当接部３１の縁において、ギャザーを形成しながら設けられても良い。これにより、足ぐりの左右中心線側近傍部分の伸縮に、より追従しやすくなるとともに、着用者のサイズに広く適用することが可能になる。
【００５１】
本発明の実施の形態において、内側足ぐり接続部６に伸縮性部材が用いられる場合を説明したがこれに限られない。内側足ぐり接続部６は、伸縮性を有する部材を用いず、縫着等により一体形成されても良い。これにより、足ぐりの左右中心線側において、伸縮部材による肌当たりの違和感が、軽減される。
【００５２】
（内側接続点）
内側接続点Ｐは、サポート部４の縁側部４１が、臀部被覆部２の縁部２１に接続する左右中心線側の端点である。サポート部４の縁側部４１は、内側接続点Ｐよりも脇側において、臀部被覆部２に接続し、内側接続点Ｐよりも左右中心線側において、臀部被覆部２と遊離可能に形成される。
【００５３】
内側接続点Ｐは、図４、図６および図７等に示すように、臀溝点Ｄよりも左右中心線Ｃ側の臀部被覆部２の縁部２１に設けられる。内側接続点Ｐは、内側接続点Ｐが設けられる位置の左右中心線側の境界である接続境界点Ｍよりも、脇側に設けられる。図７に示すようにショーツ１の着用時の背面視において、左右中心線Ｃから臀溝点Ｄまでの水平方向の長さをＬとする場合、接続境界点Ｍは、左右中心線Ｃから水平方向の長さが０．４Ｌとなる位置に設けられる。内側接続点Ｐは、左右中心線から水平方向の長さが０．４Ｌ以上かつ１．０Ｌ以下となる位置に設けられる。
【００５４】
発明者らの知見によると、接続境界点Ｍの左右中心線側において、脚の動作に伴って、脚と臀部の境界部分において、垂直方向かつ水平方向の皮膚の伸長が大きい。特に、静止時の単位距離に対して、脚上げ運動時の垂直方向の長さは、接続境界点Ｍよりも脇側において、単位距離の１２０〜１５０％であるのに対し、接続境界点Ｍよりも左右中心線側において、単位距離の１７０〜２００％である。なお、発明者らは、人の臀溝点Ｄから内股における臀溝近傍にマス目を設け、脚を上げる動作により変化したマス目の形状により、脚上げ運動時の皮膚の伸びを計測した。
【００５５】
本発明の実施の形態において、サポート部４は、内側接続点Ｐよりも左右中心線側で臀部被覆部２またはクロッチ部３に接続しない。これにより、サポート部４は、脚の動作に伴って伸縮しやすい部分において臀部被覆部２またはクロッチ部３と遊離するので、臀部被覆部２またはクロッチ部３に阻害されることなく、脚の動作に追従することが可能である。
【００５６】
（型紙）
図８を参照して、本発明の実施の形態に係るショーツ１の型紙を説明する。図８の中央に、臀部被覆部２の型紙２ｋおよびクロッチ部３の型紙３ｋを示し、左右下方に、サポート部４の型紙４ｋを示す。なお、本発明の実施の形態において、臀部被覆部２およびクロッチ部３は一体に形成されるので、それぞれの型紙２ｋおよび３ｋも一体に形成される。
【００５７】
サポート部４の型紙４ｋの左側に左右中心線Ｃが位置する指示がある。サポート部４は、左右中心線Ｃを越えて設けられる。また臀部被覆部２の型紙２ｋと、サポート部４の型紙４ｋが指示するように、臀部被覆部２およびサポート部４の左右方向に地の目Ｇが設けられる。
【００５８】
（素材）
臀部被覆部２およびサポート部４は、それぞれ、上下方向の伸び率が、１３０％から２５０％程度で、左右方向の伸び率が、１０５％から１６０％程度の素材が好ましい。臀部被覆部２およびサポート部４は、それぞれ、上下方向の伸長回復力が、４０ｃＮから９０ｃＮ程度で、左右方向の伸長回復力が、６０ｃＮから１５０ｃＮ程度の素材が好ましい。
【００５９】
本発明の実施の形態において、伸び率および伸長回復力は、１６０ｍｍ×２５ｍｍの試験片を、上部つかみ２５ｍｍ、下部つかみ３５ｍｍおよびつかみ間隔１００ｍｍで、定速伸長形引張試験機に取り付けて、測定される。生地の経方向および緯方向がそれぞれ長手方向（１６ｍｍ側）になるように裁断された、複数の試験片が用いられる。
【００６０】
伸び率は、試験片を定速伸長形引張試験機に取り付け、試験片を左右方向および上下方向にそれぞれ荷重１４．７Ｎをかけて測定されたものである。伸長回復力は、試験片を定速伸長形引張試験機に取り付け、３００ｍｍ／分程度の速度で伸長回復を複数回繰り返し、３０％伸長した際の伸長力（ｃＮ）と、３０％に回復した際の回復力（ｃＮ）の平均により算出される。
【００６１】
内側足ぐり接続部６に用いられる伸縮部材の長手方向の伸び率は、１２０％から２４０％程度の素材が好ましい。内側足ぐり接続部６は、伸長回復力が、４５ｃＮから１００ｃＮ程度の素材が好ましい。ここで、この伸び率は、長さ１６０ｍｍのテープ状の試験片を定速伸長形引張試験機に取り付け、試験片を長手方向に荷重１４．７Ｎをかけて測定されたものである。伸長回復力は、試験片を定速伸長形引張試験機に取り付け、３００ｍｍ／分程度の速度で伸長回復を複数回繰り返し、３０％伸長した際の伸長力（ｃＮ）と、３０％に回復した際の回復力（ｃＮ）の平均により算出される。
【００６２】
（効果）
図９ないし図１２を参照して、本発明の実施の形態に係るショーツ１の着用の効果を説明する。図９ないし図１２の各図は、同じ着用者の図で、（ａ）は本発明の実施の形態に係るショーツ１を着用した図で、（ｂ）は裾にレースが設けられた一般的なショーツを着用した図である。
【００６３】
図９ないし図１１の各図の（ｂ）において、臀溝近傍において皺が生じ、ショーツで臀部を包み込めていない一方、（ａ）において、皺が生じていない。ショーツ１が臀部を覆っていることがわかる。また、図１０（ｂ）における臀部の水平方向の最大の長さよりも、図１０（ａ）における臀部の水平方向の最大の長さの方が短く、ショーツ１によって臀部が適切にサポートされていることがわかる。
【００６４】
また本発明の実施の形態に係るショーツ１を着用して脚を動かす運動をした場合、図１２（ａ）に示す運動後の状態は、図１１（ａ）に示す運動前の状態と同様に、ショーツ１の裾近傍に皺や食い込みが生じていない。一方、一般的なショーツを着用して脚を動かす運動をした場合、図１２（ｂ）に示す運動後の状態は、図１１（ｂ）に示す運動前の状態に対して、ショーツ１の裾近傍に皺や食い込みが生じている。このことから、本発明の実施の形態に係るショーツ１は、動作に伴う着くずれをおこしにくいことがわかる。なお脚を動かす運動において着用者は、屈伸を２回行った後に、横座りを左右１回ずつ行い、さらにその後に足踏みを２回行う。
【００６５】
また、ショーツ１を着用した着用者の感想として、ほとんどの着用者が、従来品よりも動き易いと回答し、多くの回答者が、動いてもずれにくいと回答した。
【００６６】
このような本発明の実施の形態に係るショーツ１によれば、肌側の裾部分にサポート部４が設けられ、サポート部４は、左右の脇側で臀部被覆部２に接続する一方、左右中心線近傍で臀部被覆部２またはクロッチ部３と遊離可能である。サポート部４が臀部被覆部２およびクロッチ部３と遊離可能であることにより、サポート部４は、臀部被覆部２及びクロッチ部３の伸縮に影響を受けることなく、肌に当接して臀部をサポートすることができる。これにより、歩いたり、立ったり座ったりなどの下半身の動作によってクロッチ後端近傍の皮膚が伸縮しても、サポート部４は、皮膚の伸縮に追従してサポートすることができる。また左右中心線近傍において肌への当たりが軽減され、サポート部４による加圧に伴って、肌に段差が生じにくく、美しいシルエットを形成することができる。これによりヒップアップ効果を得るとともに、シルエット形成や着くずれにくさを実現することができる。またショーツ１は動きに伴う皮膚の伸縮を阻害しないので、動きやすさも実現することができる。
【００６７】
サポート部４は、左サポート部４ａおよび右サポート部４ｂを備え、左サポート部４ａは、左側の臀部被覆部２の裾と、クロッチ部３の右側の脇に接続し、右サポート部４ｂは、右側の臀部被覆部２の裾と、クロッチ部３の左側の脇に接続する。これにより、サポート部４は左右中心線上において、臀部被覆部２またはクロッチ部３と遊離可能に形成される。また左サポート部４ａおよび右サポート部４ｂは、それぞれ左脚および右脚の動きに追従することができるので、左右の脚が異なる動作をしたとしても、サポート部４はそれぞれの脚の動きに追従して伸縮することができるので、着くずれが生じにくい。
【００６８】
（変形例）
本発明の実施の形態において、左サポート部４ａおよび右サポート部４ｂが互いに接続しない場合を説明したが、変形例に係るショーツ１’は、左右のサポート部４’が互いに接続する。実施の形態の差異に着目して、変形例に係るショーツ１’を説明する。なお、変形例に係るショーツ１’において、臀部被覆部２、クロッチ部３、クロッチ当接部３１および腹部被覆部５は、実施の形態で説明した通りである。
【００６９】
ショーツ１’は、実施の形態に係るサポート部４に対応するサポート部４’を備える。サポート部４’は、左サポート部４ａ’および右サポート部４ｂ’により形成される。左サポート部４ａ’および右サポート部４ｂ’は、左右中心線上で、互いに接続する。左サポート部４ａ’および右サポート部４ｂ’は、実施の形態と同様に、左右中心線近辺で、臀部被覆部２またはクロッチ部３と遊離可能に形成され、皮膚が伸縮しやすい部分を避けて、臀部被覆部２およびクロッチ部３の縁部に接続する。
【００７０】
図１３および図１４に示すように、変形例に係る左サポート部４ａ’は、縁側部４１’において臀部被覆部２の縁部２１およびクロッチ部３の脇側に接続する。本発明の実施の形態において左サポート部４ａは、クロッチ部３を越えてクロッチ部３の右脇に接続したが、変形例に係る左サポート部４ａ’は、左右中心線上の接続部Ｓまで延伸し、接続部Ｓで、右サポート部４ｂ’と接続する。これにより、左サポート部４ａ’および右サポート部４ｂ’は、皮膚の伸縮が大きい左右中心線近傍において、脚の動作に応じて伸縮することができる。
【００７１】
本発明の実施の形態と同様に、変形例においてサポート部４’は、内側接続点Ｐ’よりも脇側で臀部被覆部２に接続し、内側接続点Ｐ’よりも左右中心線側で臀部被覆部２と遊離可能に形成される。変形例に係る内側接続点Ｐ’は、本発明の実施の形態で説明したように、接続境界点Ｍよりも左右中心線側に設けられる。
【００７２】
また変形例において左サポート部４ａ’および右サポート部４ｂ’の接続部Ｓは、クロッチ当接部３１によって覆われる。これにより、接続部Ｓが肌に当接することによる違和感を、軽減することができる。
【００７３】
変形例において接続部Ｓは、図１５に示すように左右中心線Ｃに平行に設けられた一対の線を縫い合わせて形成されるが、これに限らない。例えば接続部Ｓに接続する一対の線は、下方が左右中心線Ｃ側に傾き、上方が脇側に広がるように、ダーツが形成されても良い。これにより、臀部の立体的な形状に沿わせて肌に密着させ、臀部をサポートすることが可能である。
【００７４】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００７５】
例えば、本発明の実施の形態において、ショーツ１は、肌に直接着用する場合を説明したが、サニタリーショーツまたはショーツの外側に着用するガードルに適用されても良い。またショーツ１がショート丈である場合を説明したが、太腿、膝上、足首までなどのミドルないしロング丈のショーツまたはガードルに適用されても良い。またショーツではなく、水着、レオタード、ボディスーツなど、体にフィットするクロッチ部を有する下衣にも同様に適用することができる。
【００７６】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７７】
１  ショーツ
２  臀部被覆部
３  クロッチ部
４  サポート部
４ａ  左サポート部
４ｂ  右サポート部
５  腹部被覆部
６  内側足ぐり接続部
２１  縁部
３１  クロッチ当接部
４１  縁側部
４２  内側部
４３  接続部
４４  クロッチ接続部
Ｄ  臀溝点
Ｍ  接続境界点
Ｐ  内側接続点
【図１】
2020066815.tif 000003
【図２】
2020066815.tif 000004
【図３】
2020066815.tif 000005
【図４】
2020066815.tif 000006
【図５】
2020066815.tif 000007
【図６】
2020066815.tif 000008
【図７】
2020066815.tif 000009
【図８】
2020066815.tif 000010
【図９】
2020066815.tif 000011
【図１０】
2020066815.tif 000012
【図１１】
2020066815.tif 000013
【図１２】
2020066815.tif 000014
【図１３】
2020066815.tif 000015
【図１４】
2020066815.tif 000016
【図１５】
2020066815.tif 000017
【図１６】
2020066815.tif 000018